(57)【要約】  【課題】ハンガー保持力を低下させることなく、昇降動作によってハンガー支柱の目立ち易い部位に傷が生じる問題を有効に解消する。【解決手段】一対のハンガー支柱１２の対向する内縁部１２ｂに長手方向に沿ってリブ状の突起１２ｃを設け、これらの突起１２ｃの複数箇所に前記挟持方向に向かって凹部１２ｄ１、１２ｄ２を形成する一方、押さえ具３２に、凹部１２ｄ１、１２ｄ２に係合可能な凸部３２ｅを設ける。そして、これら凹部１２ｄ１、１２ｄ２と凸部３２ｅとを凹凸係合させた所定昇降位置で押さえ具３２の一部に設定した押圧部Ａ、Ｂをハンガー支柱１２の一部に押し付けることにより当該ハンガー支柱１２を保持するとともに、その凹凸係合を解除した状態で凸部３２ｅの前向面Ｃを突起１２ｃに沿って摺動させつつハンガー支柱１２を昇降させ得るようにした。【選択図】図２
2007135796.tif 000002
【特許請求の範囲】
【請求項１】
ハンガー本体より垂下する一対のハンガー支柱を取付ベースと押さえ具との間に昇降可能に挟み込み、かつ所定昇降位置に保持し得るようにしたものであって、
各ハンガー支柱の対向する内縁部に長手方向に沿ってリブ状の突起を設け、これらの突起の複数箇所に前記挟持方向に向かって凸部又は凹部を形成する一方、押さえ具に、前記凸部又は凹部に係合可能な凹部又は凸部を設け、これら凹部と凸部とを凹凸係合させた所定昇降位置で押さえ具の一部に設定した押圧部をハンガー支柱の一部に押し付けることにより当該ハンガー支柱を保持するとともに、その凹凸係合を解除した状態で押さえ具の一部を突起に沿って摺動させつつハンガー支柱を昇降させ得るようにしたことを特徴とするハンガー取付構造。
【請求項２】
押さえ具の押圧部がハンガー支柱に設けた突起に押し付けられるものであり、この押圧部は凹凸係合を解除した際に当該突起から離反し、その状態で押さえ具側に設けた凸部を突起に沿って摺動させるようにしている請求項１記載のハンガー取付構造。
【請求項３】
押さえ具の押圧部がハンガー支柱の外周部に添設するものであり、この押圧部は凹凸係合を解除した際に当該外周部から離反し、その状態で押さえ具側に設けた凸部を突起に沿って摺動させるようにしている請求項１又は２記載のハンガー取付構造。
【請求項４】
押さえ具が弾性体を主体とし、その弾性体が弾性変形しなければ凹部と凸部との凹凸係合が解除しないように構成して、この弾性体を通じて少なくとも所定昇降位置における押さえ具と突起の間の凹凸係合力及び押圧部からハンガー支柱への押し付け力を与えるようにしている請求項１〜３記載のハンガー取付構造。
【請求項５】
押さえ具が剛体を主体とし、この剛体に弾性付勢体を添設させて、その弾性付勢体が弾性変形しつつ剛体が変位しなければ凹部と凸部との凹凸係合が解除しないように構成して、その弾性付勢体を通じて少なくとも所定昇降位置における押さえ具と突起の間の凹凸係合力及び押圧部からハンガー支柱への押し付け力を与えるようにしている請求項１〜３記載のハンガー取付構造。
【請求項６】
請求項１〜５記載のハンガー取付構造を利用したものであって、背凭れの背面に取付ベースを固定若しくは一体に設け、この取付ベースと押さえ具との間にハンガー支柱を介してハンガーを支持させてなることを特徴とする椅子。
【発明の詳細な説明】
【技術分野】
【０００１】
本発明は、オフィス等で好適に利用されるハンガー取付構造及び椅子に関するものである。
【背景技術】
【０００２】
オフィス等で使用される椅子は、背凭れに衣類を掛けた状態で使用されることが少なくない。しかし、その状態で着座者が背凭れに凭れると、衣類が押し潰されて型崩れ等の原因になる。このため、近時の椅子には、背凭れに出し入れ自在にハンガー機能を備えたものが増えている。
【０００３】
例えば、特許文献１に示されるものは、取付ベースと押さえ具との間にハンガー支柱を挟持するようにしたものであり、押さえ具は板バネ状をなしていて、この押さえ具をねじで固定することにより、押さえ具の両端部をハンガー支柱の背面に弾接させるようにしている。また、ハンガー支柱の一部には凹部が設けてあり、ハンガー支柱が昇降して受け部の所定位置に設けた円柱体にその凹部が係合することにより、ハンガー支柱を上方に突出した使用位置と下方に没入した収納位置とに保持し得るようにしている。
【０００４】
一方、特許文献２に示されるものは、２本のハンガー支柱を取付ベースと抱持手段との間に形成される挿通部に挿通し、その挿通部内に弾性体よりなる正面視Ｖ字形の係止具が仕込んである。そして、この係止具の外側に向く弾性を利用し、両端をハンガー支柱の互いに向き合う対向縁に設けた凹部に弾性係合させて、ハンガー支柱を上方に突出した使用位置と下方に没入した収納位置とに保持し得るようにしている。
【特許文献１】特開２００４−１５９７４７号公報
【特許文献２】特開２００５−１６８７４８号公報
【発明の開示】
【発明が解決しようとする課題】
【０００５】
ところが、特許文献１のものは、ハンガー支柱が背面を板バネ状の押さえ具に強く押し付けられた状態で昇降するため、当該ハンガー支柱の目立ち易い背面側の外周に傷が付き易く、これが椅子の外観を損ねる大きな要因となる。同文献では、これを避けるためにハンガー支柱を湾曲させて押さえ具の上縁又は下縁とハンガー支柱との当たりを避ける工夫をしているが、これだと当たりが小さくなるため、ハンガー保持力の低下に繋がるものである。
【０００６】
一方、特許文献２のものは、ハンガー支柱間の目立ち難い内縁部にＶ字形の係止具が押圧された状態で摺動することになるため、たとえ傷がついても、場所がら、外観を大きく損ねることはない。しかしながら、Ｖ字形の係止具の外側に向くバネ力にさほど多くを期待できないため、ハンガーに過剰な力が加わると容易に所定昇降位置から離脱してしまう恐れがあり、ハンガーのぐらつきも生じ易い。これを防ぐために抱持手段の内空を緊密にすると、やはりハンガー支柱の目立ち易い背面側の外周等に傷が入るという特許文献１と同様の結果を招くことになる。
【０００７】
本発明は、このような課題に着目してなされたものであって、ハンガー保持力を低下させることなく、昇降動作によってハンガー支柱の目立ち易い部位に傷が生じる問題を有効に解消しようとするものである。
【課題を解決するための手段】
【０００８】
本発明は、かかる目的を達成するために、次のような手段を講じたものである。
【０００９】
すなわち、本発明のハンガー取付構造は、ハンガー本体より垂下する一対のハンガー支柱を取付ベースと押さえ具との間に昇降可能に挟み込み、かつ所定昇降位置に保持し得るようにしたものであって、各ハンガー支柱の対向する内縁部に長手方向に沿ってリブ状の突起を設け、これらの突起の複数箇所に前記挟持方向に向かって凸部又は凹部を形成する一方、押さえ具に、前記凸部又は凹部に係合可能な凹部又は凸部を設け、これら凹部と凸部とを凹凸係合させた所定昇降位置で押さえ具の一部に設定した押圧部をハンガー支柱の一部に押し付けることにより当該ハンガー支柱を保持するとともに、その凹凸係合を解除した状態で押さえ具の一部を突起に沿って摺動させつつハンガー支柱を昇降させ得るようにしたことを特徴とする。
【００１０】
このようにすると、突起はハンガー支柱間の比較的目立ち難い内縁部に位置することになるので、この内縁部に摺動によってたとえ傷がついても、外観を大きく損ねることを有効に防止することができる。しかも、取付ベースと押さえ具とでハンガー支柱の突起を挟み込む形態をとり、押圧部の押し付け力次第で押さえ具と突起の間の凹凸係合力を高めることができるので、ハンガー本体に過剰な力が加わることを想定して十分な保持力を付与し、ハンガーのぐらつきも有効に抑えることが可能となる。
【００１１】
ハンガー保持力を的確に高め、かつハンガー支柱の円滑な昇降動作を実現するためには、押さえ具の押圧部がハンガー支柱に設けた突起に押し付けられるものであり、この押圧部が凹凸係合を解除した際に当該突起から離反し、その状態で押さえ具側に設けた凸部を突起に沿って摺動させるようにしていることが好ましい。
【００１２】
ハンガー支柱の外周部を利用してハンガー保持力をより有効に高め、しかもハンガー支柱に傷が入ることを回避するためには、押さえ具の押圧部がハンガー支柱の外周部に添設するものであり、この押圧部が凹凸係合を解除した際に当該外周部から離反し、その状態で押さえ具側に設けた凸部を突起に沿って摺動させるようにしているおくことが望ましい。
【００１３】
本発明の具体的な実施の態様としては、押さえ具が弾性体を主体とし、その弾性体が弾性変形しなければ凹部と凸部との凹凸係合が解除しないように構成して、この弾性体を通じて少なくとも所定昇降位置における押さえ具と突起の間の凹凸係合力及び押圧部からハンガー支柱への押し付け力を与えるようにしているものが挙げられる。
【００１４】
或いは、本発明の他の具体的な実施の態様としては、押さえ具が剛体を主体とし、この剛体に弾性付勢体を添設させて、その弾性付勢体が弾性変形しつつ剛体が変位しなければ凹部と凸部との凹凸係合が解除しないように構成して、その弾性付勢体を通じて少なくとも所定昇降位置における押さえ具と突起の間の凹凸係合力及び押圧部からハンガー支柱への押し付け力を与えるようにしているものが挙げられる。
【００１５】
本発明は、以上のような構成であるから、特に露出の大きい椅子の背凭れにハンガーを取り付ける際の取付構造として極めて有用なものとなる。
【発明の効果】
【００１６】
本発明は、以上説明した構成であるから、ハンガー支柱を押さえ具を用いて所定昇降位置に確実に保持することができ、しかも、昇降動作時に押さえ具によってハンガー支柱の目立ち易い部位に傷が生じることも有効に回避した有用なハンガー取付構造及びこれを利用した椅子を提供することが可能となる。
【発明を実施するための最良の形態】
【００１７】
以下、本発明の一実施形態を、図面を参照して説明する。
【００１８】
図１に示す本実施形態のハンガー取付構造は、ハンガー１を椅子Ｚの背凭れ２に取り付けるためのもので、ハンガー本体１１より垂下する一対のハンガー支柱１２を図２及び図３（ａ）に示すように取付ベース３１と押さえ具３２との間に昇降可能に挟み込み、かつ所定昇降位置に保持し得るようにしている。
【００１９】
具体的に説明すると、ハンガー１は、背凭れ２の幅方向に沿って配置されるハンガー本体１１の下端部から下方に向けて対をなすハンガー支柱１２を平行に垂下させてなるもので、その垂下端１２ａはＵ字状に連なっている。このハンガー支柱１２の直線部の平断面は基本的に任意の高さで同一形状をなし、具体的には外縁部１２ａから内縁部１２ｂに向かって漸次前後に肉厚となる概略外向き台形状をなしている。そして、各ハンガー支柱１２の内縁部１２ｂの肉厚方向中心部に、長手方向に沿って延びるリブ状の突起１２ｃを平断面内向き概略台形状をなして突設し、この突起１２ｃの後向面１２ｃ１（すなわち椅子の後方に向かう面）における上下２箇所をこの実施形態では部分球面状に肉盗みして、凹部１２ｄ１、１２ｄ２を形成している。凹部１２ｄ１はハンガー支柱１２の上端近傍に位置し、凹部１２ｄ２はハンガー支柱１２の下端近傍に位置している。
【００２０】
これに対して、取付ベース３１は、背面視長円プレート状のもので、左右両端近傍に肉厚方向に貫通するねじ挿通孔３１ａを有し、それらのねじ挿通孔３１ａに挿通したねじＶ１によって椅子Ｚの背凭れ２の背面にねじ止めされる。取付ベース３１の中央部には押さえ具３２をねじＶ２を用いて取り付けるためのねじ孔３１ｂが肉厚方向に設けてあり、そのねじ孔３１ｂと左右のねじ挿通孔３１ａとの間に、ハンガー支柱１２の前半部と部分的に嵌合する縦溝状の支柱嵌合部３１ｃを凹設している。
【００２１】
一方、押さえ具３２は、合成樹脂や板バネ、スチール等の素材等の弾性体Ｓを主体として構成したもので、前記ハンガー支柱１２の内縁部１２ｂ、１２ｂ間において突起１２ｃの後向面１２ｃ１に対向する位置に配置される基端片３２ａと、この基端片３２ａの左右両端より持出し部３２ｂを介して後方に持ち出した位置に連設される先端片３２ｃとからなる。基端片３２ａには、前記取付ベース３１のねじ孔３１ｂに対応する位置にねじ挿通孔３２ｄが設けてあり、ハンガー支柱１２の後向面１２ｃ１に添設する両端には、前記凹部１２ｄ１、１２ｄ２に嵌まり込むことの可能な凸部３２ｅ（図２及び図３（ｂ）参照）が前方に向けて突設されている。図３（ａ）は凸部３２ｅ以外の部位を通る平断面図であり、同図（ｂ）は凸部３２ｅが凹部１２ｄ１、１２ｄ２と凹凸係合した際の凸部３２ｅを通る平断面図である。この実施形態の凸部３２ｅは前記凹部１２ｄ１、１２ｄ２の形状に対応する部分球体状をなしている。持出し部３２ｂはハンガー支柱１２の突起１２ｃの付け根から当該ハンガー支柱１２の外周部１２ｅに至る部位にほぼ密接する形状をなし、先端片３２ｃはハンガー支柱１２の内縁部１２ｂから外縁部１２ａに至る間の外周部１２ｅに沿う形状をなしている。
【００２２】
そして、押さえ具３２の主体をなす弾性体Ｓのねじ挿通孔３２ｄに挿通したねじＶ２を取付ベース３１のねじ孔３１ｂに締着することによって、基端片３２ａの両端における前向面に設定した第１の押圧部Ａを突起１２ｃの後向面１２ｃ１に弾接させ、同時に先端片３２ｃの前向面に設定した第２の押圧部Ｂをハンガー支柱１２の外周部１２ｅに弾接させており、その状態で押さえ具３２及び取付ベース３１を覆うようにカバー部材３３を装着している。
【００２３】
このようにして取付ベース３１と押さえ具３２との間に挟持させて取り付けられるハンガー支柱１２を図１に矢印で示すように昇降させると、ハンガー支柱１２の上端側の凹部１２ｄ１が押さえ具３２の凸部３２ｅに凹凸係合した位置でハンガー本体１１が背凭れ２の上端２ａよりも低くなる収納状態をとり、ハンガー支柱１２の下端側の凹部１２ｄ２が押さえ具３２の凸部３２ｅに凹凸係合した位置でハンガー本体１１が背凭れ２の上端２ａよりも突出する使用状態をとり、その間を、凹部１２ｄ１、１２ｄ２と凸部３２ｅとの凹凸係合を解除した状態で昇降移動させることが可能となる。解除時には、図３（ｂ）→図４（ｂ）に示すように基端片３２ａをねじＶ２で止着されている部位を中心に弾性変形させつつ凸部３２ｅを凹部１２ｄ１、１２ｄ２から離脱させて突起１２ｃの後向面１２ｃ１に乗り上げさせる必要があり、そのための操作力をハンガー支柱１２に加える必要があるが、その操作力、裏を返せばハンガー１を所定位置に保持しておくための保持力は、ねじＶ２の締着力によって自由に調整することができる。そして、凸部３２ｅが突起１２ｃの後向面１２ｃ１に乗り上げた後、この凸部３２ｅの先端部Ｃが突起１２ｃの後向面１２ｃ１に押し付けられた状態で当該突起１２ｃに沿って摺動する際は、第１の押圧部Ａを図３（ａ）→図４（ａ）に示すように突起１２ｃの後向面１２ｃ１から離反させ、第２の押圧部Ｂをハンガー支柱１２の外周部１２ｅから離反させるようにしている。
【００２４】
以上のように、本実施形態は、ハンガー本体１１より垂下する一対のハンガー支柱１２を取付ベース３１と押さえ具３２との間に昇降可能に挟み込み、かつ所定昇降位置に保持するものである。そして、そのために各ハンガー支柱１２の対向する内縁部１２ｂに長手方向に沿ってリブ状の突起１２ｃを設け、これらの突起１２ｃの複数箇所に前記挟持方向（具体的には後方）に向かって凹部１２ｄ１、１２ｄ２を形成する一方、押さえ具３２に、前記凹部１２ｄ１、１２ｄ２に係合可能な凸部３２ｅを設け、これら凹部１２ｄ１、１２ｄ２と凸部３２ｅとを凹凸係合させた所定昇降位置で押さえ具３２の一部に設定した押圧部Ａ、Ｂをハンガー支柱１２の一部に押し付けることにより当該ハンガー支柱１２を保持するとともに、その凹凸係合を解除した状態で凸部３２ｅの先端部Ｃを突起１２ｃに沿って摺動させつつハンガー支柱１２を昇降させ得るようにしたものである。
【００２５】
このように、突起１２ｃがハンガー支柱１２、１２間の奥まった部位にあって比較的目立ち難い内縁部１２ｂ側に位置することになるので、凸部３２ｅが突起１２ｃに押し付けられた状態で摺動することにより突起１２ｃの後向面１２ｃ１に傷がついても、外観を大きく損ねることを有効に防止することができる。しかも、取付ベース３１と押さえ具３２とでハンガー支柱１２を挟み込む形態をとり、押圧部Ａ、Ｂの押圧力次第で所定昇降位置における押さえ具３２と突起１２ｃの間の凹凸係合力を有効に高めることができるので、ハンガー本体１１に過剰な力が加わることを想定して十分な保持力を付与し、安定した使用状態を確保するとともに、ハンガー１のぐらつきも的確に抑えることが可能となる。
【００２６】
特に、押さえ具３２の押圧部Ａをハンガー支柱１２に設けた突起１２ｃに押し付けるようにしており、この押圧部Ａを凹凸係合を解除した際に当該突起１２ｃから離反させ、その状態で押さえ具３２側に設けた凸部３２ｅを突起１２ｃに沿って摺動させるようにしているので、使用状態や収納状態でのハンガー保持力を的確に高め、かつハンガー支柱１２の円滑な昇降動作も確保することができる。
【００２７】
加えて、押さえ具３２の押圧部Ｂをハンガー支柱１２の外周部１２ｅに添設させるようにしており、この押圧部Ｂを凹凸係合を解除した際に当該外周部１２ｅから離反させ、その状態で上記のように押さえ具３２側に設けた凸部３２ｅを突起１２ｃに沿って摺動させるようにしているので、押圧部Ａのみから押圧力を作用させる構造に比べて、接触面積をより広く確保することのできるハンガー支柱１２の外周部１２eを利用してハンガー保持力をより有効に高めることができ、しかもハンガー支柱１２に傷が入ることも効果的に回避することが可能となる。
【００２８】
そして、前記押さえ具３２は、左右のハンガー支柱１２、１２間の間隙を介して、後方から前方に差し込んだねじＶ２により取付ベース３１に固定しており、その固定部位の左右両側部に前記押圧部Ａ、Ｂを設定しているため、押さえ具３２を確実に取り付けるためのスペースを容易に確保することができ、同時に、止着箇所から左右の押圧部Ａ、Ｂを介して対をなすハンガー支柱１２、１２に均等に押圧力を作用させることができる。
【００２９】
また、押圧部Ａ、Ｂを共に押さえ具３２の主体をなす単一の弾性体Ｓ上に設けているので、部品点数の増加に繋がることも有効に回避することが可能となる。
【００３０】
具体的には、弾性体Ｓが弾性変形しなければ凹部１２ｄ１、１２ｄ２と凸部３２ｅとの凹凸係合が解除しないように構成しており、この弾性体Ｓを通じて少なくとも所定昇降位置における押さえ具３２と突起１２ｃの間の凹凸係合力及び押圧部Ａ、Ｂからハンガー支柱１２への押し付け力を与えるようにしているので、別段の付勢手段を持ち込まずとも所要のハンガー保持力を有効かつ持続的に発揮させることができる。
【００３１】
そして、本実施形態の椅子は、上記のようなハンガー取付構造を利用して、背凭れ２の背面に取付ベース３１を固定し、この取付ベース３１と押さえ具３２との間にハンガー支柱１２を介してハンガー１を支持させているため、露出の大きい背凭れ２の背面に対して外観を損なうことなくハンガー１を有効に取り付けることを可能ならしめているものである。
【００３２】
なお、各部の具体的な構成は、上述した実施形態のみに限定されるものではない。
【００３３】
例えば、上記実施形態では、突起１２ｃ側に凹部１２ｄ１、１２ｄ２を形成し、押さえ具３２側に凸部３２ｅを形成したが、図５に示すように、突起１２ｃ側に凸部１１２ｄ１、１１２ｄ２を形成し、押さえ具３２側に凹部１３２ｅを形成したものであってもよい。同図の凸部１１２ｄ１、１１２ｄ２は、柱軸ｍを突起１２ｃの長手方向と直交する方向（すなわち左右の支柱１２の対向方向）に配向した円柱の一部を突起１２ｃの後向面１２ｃ１より後方に突出させた形態をなすもので、これに対応する押さえ具側の凹部１３２ｅは押さえ具３２の基端片３２ａと持出し部３２ｂとのコーナー部に形成された開口窓状をなしている。このように構成する場合、基端片３２ａの両端を押圧部Ａとして機能させることは上記実施形態と同様であるが、凹凸係合が解除された後もこの押圧部Ａを突起１２ｃに設けた凸部１１２ｄ１、１１２ｄ２又は突起１２ｃの後向面１２ｃ１に対して摺動させることとなる。この場合、先端片３２ｃの前向面は支柱１２の外周部１２ｅに近接配置することによりハンガー全体のガタツキを防止する程度に止どめて、昇降移動時に支柱１２の外周部１２ｅに接触させない構成としておくことが望ましい。かかる凸部１１２ｄ１、１１２ｄ２の形状は、ハンガー保持力が適切に発揮できることを前提に、所定昇降位置への引き込み時或いはそこからの離脱時におけるハンガー支柱１２の動作に円滑性を期待できるものである。勿論、前記実施形態のように凹部を部分球面状にし凸部を部分球体状にしても構わない。
【００３４】
また、図６に示すように押さえ具２３２が剛体Ｔを主体とし、この剛体Ｔに弾性付勢体４を添設させて、その弾性付勢体４が弾性変形しつつ剛体Ｔが変位しなければ前述した凹部と凸部との凹凸係合が解除しないように構成して、その弾性付勢体４を通じて少なくとも所定昇降位置における押さえ具２３２と突起１２ｃの間の凹凸係合力及び押圧部Ａ、Ｂ等からハンガー支柱１２への押し付け力を与えるようにしても構わない。このように、押さえ具２３２とは別に弾性付勢体４を設ければ、部品点数は増えるものの、押さえ具２３２を押圧に一層適した形状にし、かつ所要の凹凸係合力や押し付け力を発現し得る適切な弾性付勢体４を採用することができるようになる。図示の弾性付勢体４はコイルバネ状のものであるが、板バネ等であってもよいのは勿論である。
【００３５】
さらに、上記実施形態は２箇所に押圧部Ａ、Ｂを設定したが、押圧部Ａのみ、或いは押圧部Ｂのみであっても本発明の基本的作用効果を奏することは可能である。
【００３６】
その他、凸部や凹部の形状等も上記実施形態に限定されるものではないし、本発明のハンガー取付構造を椅子以外の取付対象に適用するなど、その目的用途等も本発明の趣旨を逸脱しない範囲で種々変形が可能である。
【図面の簡単な説明】
【００３７】
【図１】本発明の一実施形態を適用した椅子の後方斜視図。
【図２】同実施形態のハンガー取付構造を示す分解斜視図。
【図３】同平断面図。
【図４】同実施形態の作用説明図。
【図５】本発明の変形例を示す図２に対応した図。
【図６】本発明の他の変形例を示す図３に対応した図。
【符号の説明】
【００３８】
１…ハンガー
２…背凭れ
４…弾性付勢体
１１…ハンガー本体
１２…ハンガー支柱
１２ｂ…内縁部
１２ｃ…突起
１２ｄ１、１２ｄ２…凹部
３１…取付ベース
３２…押さえ具
３２ｅ…凸部
１１２ｄ１、１１２ｄ２…凸部
２３２…押さえ具
１３２ｅ…凹部
Ａ、Ｂ…押圧部
Ｃ…前向面
Ｚ…椅子
【図１】
2007135796.tif 000003
【図２】
2007135796.tif 000004
【図３】
2007135796.tif 000005
【図４】
2007135796.tif 000006
【図５】
2007135796.tif 000007
【図６】
2007135796.tif 000008